(57)【要約】【課題】機器に表示された固有情報の可読性を長期間維持することを目的とする。【解決手段】制御機器１のケース２に貼付されるラベル３には固有情報８が表示されており、この固有情報８を覆うように化粧シート４がさらに貼付され、この化粧シート４には、固有情報８を認識することができるように透明部３が設けられている。【選択図】図１
2015000552.tif 000002
【特許請求の範囲】
【請求項１】
付与された固有情報が筐体に表示される機器であって、
前記固有情報を覆うように前記制御機器の筐体に貼付される化粧シート、を有し、
前記化粧シートには、透明部が設けられ、
前記透明部を通して前記固有情報を認識することができるように構成されたことを特徴とする機器。
【請求項２】
前記透明部が、前記固有情報の表示に必要な大きさを有することを特徴とする請求項１に記載の制御機器。
【請求項３】
前記機器は、制御対象物を制御するための制御機器であることを特徴とする請求項１または２に記載の機器。
【請求項４】
機器に貼付される化粧シートであって、
前記化粧シートには局所的に透明部が設けられ、
前記機器への貼付後に、前記透明部を通してこの機器に表示された固有情報を視認することができるように構成された化粧シート。
【発明の詳細な説明】
【技術分野】
【０００１】
本発明は、種々の制御対象を制御する機器に関する。
【背景技術】
【０００２】
従来から、例えば特許文献１に開示されるような制御機器には、その外装や部品に対して、固有の情報を表す文字、あるいは、それら情報が記録されたバーコード、ＱＲコード（登録商標）等が印字された、ラベル等が貼付されることがあった。このラベル等に印字する情報として、例えば、製品型番、製造日等が挙げられ、これらの情報が機器の外装に表示されることによって、各機器の固有情報を認識することが可能となる。一方、機器の美観性、操作性等を向上させることを目的とし、機器の外装表面に化粧シートと称される積層体が貼付することがある。（たとえば、特許文献２参照。）
【特許文献１】特開２００６−１３９９３１号公報
【特許文献２】特開２００９−１９６１７３号公報
【発明の開示】
【発明が解決しようとする課題】
【０００３】
ところで、化粧シートが上述の機器に貼付された後に固有情報が印字されたラベルが貼付されると、長期間の使用に起因したラベルへの傷や劣化により、表示された固有情報が読み取れなくなってくる問題があった。
【０００４】
また、製品型番、製造日等の固有情報を予め化粧シートに印字しておくことも考えられる。しかし、各種機器の固有情報として製品型番等が含まれる場合には、製品型番の種類、即ちその機器の機種数に応じて、化粧シートの種類も増やしていく必要があるため、生産、在庫管理が煩雑になる問題がある。
【０００５】
本発明は、機器に表示された固有情報の可読性を長期間維持することを目的としている。
【課題を解決するための手段】
【０００６】
上記の問題点を鑑みてなされたものである本発明は、機器であって、前記機器の筐体には、固有情報が表示され、前記固有情報を覆うように前記機器の筐体に貼付される化粧シート、とを有し、前記化粧シートには、透明部が設けられ、前記透明部を通して前記固有情報を認識することができるように構成されたことを特徴とする機器である。
【発明の効果】
【０００７】
この発明によれば、機器に表示された固有情報の可読性を長期間維持することが可能である。
【発明を実施するための形態】
【０００８】
以下、図面を参照して本発明の実施形態に係る制御機器について説明する。
以下の図面の記載において、同一又は類似の部分には同一又は類似の符号で表している。但し、図面は模式的なものであるため、具体的な寸法等は以下の説明に照らし合わせて判断すべきものである。また、図面相互間においても互いの寸法の関係や比率が異なる部分が含まれていることは勿論である。
【０００９】
本発明の実施の形態は、例えば、工業用燃焼炉や食品加工殺菌設備などにおいて、制御対象物を制御するために使用される制御機器である。
【００１０】
図１は、制御機器１の斜視図を簡易的に示したものである。制御機器１は、例えば、樹脂でできた箱型形状、ここでは直方体形状を有するケース２により構成されており、ケース２内には図示しない多数の電子部品、電気部品等が収容されている。また、ケース２の前面５側には、後述する化粧シート４、及び、制御機器１の固有情報８が印字されたラベル３が貼付されている。尚、図１には図示していないが、制御機器１の前面５側には所定の操作を行うための操作ボタンや、処理の状態を外部に表示するためのセグメント表示器、ＬＥＤ表示素子などが設けられてもよいし、制御機器１の背面６側には、配線を行うための端子台等が設けられてもよい。
【００１１】
次に、本発明に貼付されるラベル３について、図２を用いて説明する。まず、図２に示すように、固有情報８が印字されたラベル３が制御機器１を構成するケース２の前面５に貼付される。ここで、ラベル３に印字された固有情報８とは、例えば、製品型番、製品の製造日等、製品として出荷される各制御機器１の仕様等によって異なる情報などを指す。ラベル３の固有情報８は、例えば、ラベルプリンタ等を使用して印字することが可能である。
【００１２】
ここで、制御機器１が、例えば、工業用燃焼炉のインターロック監視、自動点火動作、火炎監視などを行うバーナコントローラ等の機器である場合は、利用する火炎検出器の種類（例えば、光学式、挿入式等）や、定格電源電圧、点火タイミングの違い等によって、ラベル３に印字される製品型番などの固有情報８は様々なものとなる。すなわち、外観形状は同一である制御機器１であっても、異なる製品型番が付与され、印字される固有情報８も製品型番等に応じて変更される。尚、制御機器１に関する更に詳細な情報（例えば、トレーサビリティ用情報、部品情報、機器の検査情報など）については、バーコード、ＱＲコード（登録商標）等に情報を記録させておき、ラベル３上に表示しておいてもよい。
【００１３】
続いて、図３に示す化粧シート４について説明する。化粧シート４には、制御機器１の外観を表現するための図柄７等が印刷されると共に、長方形状の透明部９が設けられている。化粧シート４は、絵柄層、着色層、表面保護層など、複数の層の組み合わせによって種々のデザインを表現することができる積層体であり、図柄７や透明部９を形成することが可能である。この透明部９は、例えば図３における紙面手前側から、紙面奥側を視認できるように構成されている。透明部９の大きさとしては、制御機器１に貼付されているラベル３に印字された文字やＱＲコード（登録商標）等の固有情報８を、目視、あるいは、ＯＣＲ(Ｏｐｔｉｃａｌ Ｃｈａｒａｃｔｅｒ Ｒｅｃｏｇｎｉｔｉｏｎ)、バーコードリーダー等を使用することにより、読み取り可能な大きさであればよい。すなわち、透明部９がラベル３に印字される固有情報８の全体を覆うように、透明部９が化粧シート４の透明部９以外の部分に重複しない程度の大きさを有していればよい。また、透明部９の形状については、長方形状に限られず、楕円形状や、他の多角形状など、必要に応じて適宜変更してよい。
【００１４】
続いて、図４に示すように、化粧シート４の透明部９を通して、ラベル３に印字された固有情報８が制御機器１の前面５に表示されるように、ラベル３の上面から化粧シート４が貼付される。このように、ラベル３の上面から化粧シート４が貼付されるように構成しているので、長期間の使用に起因した傷や劣化などによる、固有情報８の可読性の悪化を効果的に防ぐことが可能である。
【００１５】
また、工業燃焼炉等の燃焼設備においては、それぞれ役割の異なる複数の制御機器１を組み合わせることにより、工業燃焼炉における様々な運転方式や点火方式を実現させるように構成することがある。このとき、各制御機器１の設置スペースの制約や、制御機器１の操作性等を考慮して、図１に示したような箱型形状の複数の制御機器１が、密接に、連結して配置されることがある。このような場合であっても、ラベル３に印字された固有情報８は、各制御機器１の前面５側に表示されているため、制御機器１の設置現場等において、容易かつ迅速に固有情報８を確認することが可能である。
【００１６】
ところで、制御機器１がバーナコントローラである場合、上述した設置スペースの制約以外に、例えば、高温環境、埃・粉塵等の多い環境に設置される等、設置環境の制約が存在することもある。高温環境では、長期間の使用による制御機器１の各部の色落ちが発生し、埃・粉塵等の多い環境では、この埃・粉塵が制御機器１の表面を覆ってしまい汚れの原因となる。本発明の制御機器１によると、このような環境下に長期間設置された場合であっても、化粧シート４の保護によってラベル３が外部環境に直接曝されることがない。よって、ラベル３に印字された固有情報８が消失することや、埃・粉塵が付着しラベル３が汚れることを防止できるので、長期間にわたり同環境に設置されている制御機器１のトレーサビリティが困難となることもなくなる。
【００１７】
また更に、本実施の形態に係る制御機器１は、ラベル３と化粧シート４が別々に貼付されるように構成されている。そのため、それぞれの制御機器１に係る固有情報８（例えば、製品型番など）が様々であっても、制御機器１に貼付される化粧シート４としては、１種類準備するだけでよい。すなわち、制御機器１の種類に応じて、ラベル３に印字する固有情報８を変更するだけでよいので、同一の外観形状を有する制御機器１の種類（機種数）が増加しようとも、化粧シート４の生産、在庫管理の煩雑化を低減することが可能となる。
【００１８】
（その他の実施の形態）
上述の実施の形態においては、固有情報の一例として製品型番を説明してきたが、例えばバーナコントローラであれば、製品型番を決定するための項目としての火炎検出器の種類、定格電源電圧、点火タイミング等を、直接文字として表記する態様を含む事は勿論である。また、固有情報の表示方法としては、ラベルに印字される態様だけでなく、機器の筐体表面に直接打刻したり、あるいは突出させて表示する態様も含まれる。
【００１９】
また、上述の実施の形態では、一例としてバーナコントローラ等の制御機器について説明したが、勿論、制御機器に限られるものではない。テレビ等の家電機器や、パソコン、携帯電話等の情報端末機器にも適用可能である。
【００２０】
上記のように、本発明を実施の形態によって記載したが、この開示の一部をなす記述及び図面はこの発明を限定するものであると理解するべきではなく、本発明の要旨を逸脱しない範囲の設計の変更など、様々な実施の形態などを包含するということは言うまでもない。
【図面の簡単な説明】
【００２１】
【図１】本発明の１実施形態に係る制御機器の斜視図。
【図２】図１の制御機器におけるケースの正面図。
【図３】本発明の１実施形態に係る化粧シートの正面図。
【図４】図１に示す制御機器の正面図。
【符号の説明】
【００２２】
１                                        制御機器
２                                        ケース
３                                        ラベル
４                                        化粧シート
５                                        前面
６                                        背面
７                                        図柄
８                                        固有情報
９                                        透明部
【図２】
2015000552.tif 000003
【図３】
2015000552.tif 000004
【図４】
2015000552.tif 000005
【図１】
2015000552.tif 000006